(57)【要約】【課題】ディスプレイ上に表示されたデジタル画像が、カメラ・ビデオ等で容易に撮影されてしまうとコンテンツを作成し販売する側が困難となる課題があった。【解決手段】人間の目には見えるが、カメラ・ビデオ等からの撮影は防止するディスプレイを実現するものであり、センサー機能を備えたディスプレイが、カメラ・ビデオなどの撮影機器をセンサーによって感知すると、ディスプレイ上に表示されたコンテンツ画像が、撮影困難となる処理が実行され、センサーからカメラ・ビデオが感知されなくなると、コンテンツ画像が撮影困難となる処理が解除される、これにより解決する。【選択図】図１
2018033117.tif 000002
【特許請求の範囲】
【請求項１】
センサー部と、プロテクト処理部を備えたコンテンツの撮影防止システムであって；
前期センサー部は、撮影のポーズを有する撮影機器を感知する処理を備えており；
前期プロテクト処理部は、前期センサー部が撮影のポーズを有する撮影機器を感知すると、
コンテンツ再生機に、コンテンツ撮影を困難にさせる処理をアウトプットすることを特徴とし；
且つ、前期プロテクト処理部は、前期センサー部が撮影のポーズを有する撮影機器を感知できなくなると、コンテンツ再生機に、コンテンツ撮影を困難にさせる処理を解除することを特徴としている；
撮影防止システム
【請求項２】
前期プロテクト処理部の撮影を困難にさせる処理は、人間の目にも見える、コンテンツ撮影を不可にする画像がアウトプットされることを特徴としている請求項１に記載の撮影防止システム
【請求項３】
前期プロテクト処理部がアウトプットする、人間の目にも見える、コンテンツ撮影を不可にする画像は、鑑賞者に不快感を与えないような美しい画像であることを特徴としている請求項２に記載の撮影防止システム
【請求項４】
前期センサー部は、複数の感知手段の組み合わせから撮影ポーズを有する撮影機器を感知することを特徴としている請求項１乃至２乃至３に記載の撮影防止システム
【発明の詳細な説明】
【技術分野】
【０００１】  人間の目には見えるが、カメラ・ビデオ等からの撮影を防止するコンテンツ再生機のコンテンツの表示方法としての撮影防止システム技術に関する。コンテンツ再生機とは主にディスプレイが好ましく、コンテンツとは主に、デジタル画像・デジタル絵画等の静止画、映像、テキストを述べるものである。
【背景技術】
【０００２】  従来技術には、特開２０１５−１５９４８９の様に、人間の目には見えない赤外線等の非可視光線を照射して映像を撮影から守る防止方法や、特開２００２−３１４９３８の様に人間の目には確認できない変調周波数や変調タイミングを用いて画像欠損部をストロボで表示し、その速度を変化させる等してビデオ撮影を不可にする方法があった。しかし赤外線の照射は赤外線遮断フィルタを挟めば撮影可能となり、欠損部をストロボ表示する方法ではタイミング調整の困難さがあるなど、画像保護の確実さに課題があった。
【先行技術文献】
【特許文献】
【０００３】
【特許文献１】特開２０１５−１５９４８９
【特許文献２】特開２００２−３１４９３８
【発明の概要】
【発明が解決しようとする課題】
【０００４】  デジタル絵画などのアート画像をディスプレイ上に表示し、公衆の場（飲食店、病院、美容院、旅館、公共施設等など）にて飾る際、不特定多数の鑑賞者より撮影機器（ビデオやカメラ等）で撮影されてしまうとコンテンツ販売が困難になる課題があった。
【課題を解決するための手段】
【０００５】  従来方法では、人間の目には見えるけれど撮影機器では見えない方法を模索する発想であった。本発明は、基本的には、人間の目に見えるものは必ず撮影機器でも見えるようになる、と諦めて考える所から発想しており、しかし、人間の目には見えるが撮影機器には見えない方法を実現するものである。【０００６】  「図１」の（Ａ）は、センサーを備えたディスプレイ（１０１）と、そのセンサー感知領域（１００）を表した図であり、センサー感知領域の外側に撮影機器（１０２）があって、ディスプレイ上には通常の画像が表示されている図である。下方の（Ｂ）は、センサー感知領域内に撮影機器があり、撮影のポーズ（撮影の構え）を有する撮影機器をセンサーが感知しており、コンテンツ撮影を困難にさせるプロテクト処理をアウトプット・起動させている図である。撮影のポーズとは、例えば、ディスプレイの方向へ撮影機器のレンズ部が向けられていたり、撮影に必要な人間の姿勢や動作などが考えられる。【０００７】  画像プロテクト処理の撮影を困難にさせる処理は、好ましい方法として、人間の目にも見える、コンテンツ撮影を不可にする画像が、コンテンツ再生機にアウトプットされる処理である。（Ｂ）図の場合でれば、ディスプレイ画面に波紋が広がってコンテンツ画像が見えなくなっている処理がアウトプットされている（これは、人間の目に見える波紋画像である）。画像プロテクト処理の画像欠損（コンテンツが見えなくなる様な邪魔をするイメージ表現や画像）は、人間の目で見える画像で可能であり、容易に実装できる。これは、撮影機器の有無という状況の変化をセンサーが感知することにより、人間の目に見える時と、見えない時を切り変えられる為、実現できる方法である。この方法であれば、人間の目で見ても見えないものは撮影機材においても見えないので確実に撮影を防止できる。【０００８】  尚、人間の目には見えず、撮影機器には見える画像欠損方法（赤外線の照射やストロボ表示、その他の方法等）に於いても、画像保護の確実性は下がるけれど（且つ容易ではないけれど）、撮影機器をセンサーが感知した時だけ作動させる方法は考えられる。この場合、従来よりコストを安価にする効果が期待できる。【０００９】  センサー技術には、画像認識、熱感知、電磁波・磁気感知、赤外線感知、光感知、動き感知等の方法がある。これらを組み合わせる事で、撮影のポーズを有する機器を感知することが可能である。例えば、ディスプレイの方向へ機器のレンズ部が向けられている形状の認識や、カメラの形状・角度の認識、カメラの形状をした熱や電磁波を有した部分、人間がレンズを覗き込む顔や、カメラに添えられた手の形状・角度等から認識する事ができる。また、市販で販売されている撮影機器の形状や種類もコンピューターが記憶しておくことができる。要領としては人の目でも、カメラがこちら側へ向けられていると分かる、それと同レベルでセンサーに於いても感知できれば良く、一般人が容易に撮影できる事を防止できれば良いと考える。高度に隠されたカメラまで防止するのは、従来の書店などでも不可能であったものであり、多少は仕方がないと考えるものである。【００１０】  「図２」は、センサー部（２００）とプロテクト処理部（２０１）を備えたシステム構成図である。【００１１】  「図３」は、プロテクト処理部のプログラム実行フローである。コンテンツ画像表示時は、センサー機能はＯＮの状態（ｓ３００）であり、撮影のポーズを有した撮影機材を感知すると（ｓ３０１）、撮影を困難にさせるプロテクト処理が実行される（ｓ３０２）。撮影ポーズを有した撮影機器が感知されなくなると（ｓ３０３）、撮影を困難にさせるプロテクト処理は解除される（ｓ３０４）。【００１２】  「図４」は、プロテクト処理のアウトプットされる画像のバリエーションである。（画像２０）はプロテクトが無い状態であり、（画像２１）は滴が落ちて波紋が広がる美しいプロテクトである（波紋は１つ、２つ、３つ…と水たまりに雨が落ちるイメージでも良い）。（画像２２）は湖面が波ゆっている美しいプロテクトであり、（画像２３）は沢山の落ち葉がゆらゆらと揺れながら落ちる美しいプロテクトである（他にも、花びらや雪などが考えられる）。特徴として、動く絵画の様に美しい画像欠損方法であり、プロテクト処理自体がコンテンツの一部（遊びの要素の一部）であるかの様な処理である。これにより、撮影を防止していると感じさせない効果が期待でき、鑑賞者側の不快感が軽減される。また、（画像２４／２５）はノイズや砂嵐の様な美しくない不快感を抱くプロテクトの例を上げるものであり、好ましくない画像である。【００１３】  「図５」は、街のディスプレイ（飲食店等）で出会った画像を気に入り、購入したいと思ったユーザーが、スマホをかざせばＱＲコード等で作品データを入手できる方法である。機器をかざすと画像プロテクト処理が実行されるが同時にＱＲコードも表示される。しかし作品データの入手方法は、作品と出会ったお店と日時をネット検索すれば、その日に流れていた作品が分かる等、他にも方法は考えられる。【００１４】  以上のディスプレイ表示方法であれば、デジタル画像の撮影防止・コピー防止を行うことができる。従来では長らく、カメラ側、もしくは、ディスプレイ側のどちらかに防止処理の細工を行うものであり、その発想から越えられないでいた。センサー技術を利用する事はコンテンツのコピー防止技術となんら関係なく、それらの延長線上にない発想であった。理由として、多数が同時に同じ場所を注目する映画と、景色の一部の様なアートコンテンツとの相違がある事も考えられる。
【発明の効果】
【００１５】静止画像は音楽や映像と異なり、録画に時間がかかったり、雑音が入ったりすることなく、比較的容易にカメラで撮影されてしまう。しかし容易に撮影できない環境が実現できれば、作家の創作活動・モチベーションを守ることが可能となり、それによりクオリティーの高い作品を生み出すことが可能になる。
【図面の簡単な説明】
【００１６】
【図１】コンテンツ撮影防止システムの全容を説明する図
【図２】コンテンツ撮影防止システムの構成図
【図３】画像プロテクト処理部におけるプログラム処理のフローチャート
【図４】画像プロテクト処理のバリエーション
【図５】ディスプレイからＱＲコードを読み取る方法を説明する図
【符号の説明】
【００１７】  １００…センサー感知領域
１０１…センサー装置を備えたディスプレイ
１０２…撮影機器（デジタルカメラ、スマホ、タブレット、メガネ型端末など）
２００…センサー部
２０１…プロテクト処理部
２０…非プロテクト処理の状態である画像
２１…波紋状のプロテクト処理
２２…湖面が波打つようなプロテクト処理
２３…葉が落ちるプロテクト処理
２４、２５…ノイズ・砂嵐のような美しくないプロテクト処理
４００…ＱＲコード
【図１】
2018033117.tif 000003
【図２】
2018033117.tif 000004
【図３】
2018033117.tif 000005
【図４】
2018033117.tif 000006
【図５】
2018033117.tif 000007